(57)【要約】 【課題】  「仮施錠用摘み操作部材」+「摘み操作部材用本施錠手段」＝引戸用錠前に於いて、脱着式操作部材を抜き取った時、居住者が錠前の防犯状態が判ること。【解決手段】引戸の室内側に固定したケース本体に錠前の施錠片を進退動させ得る仮施錠用摘み操作部材をスライド自在に設け、一方、摘み操作部材を基準にしてケース本体の一端部側又は他端部側に摘み操作部材用本施錠手段をケース本体の前面から突出しないように設け、本施錠手段の先端部側に情報表示手段を配設し、摘み操作部材を操作して仮施錠状態にした場合、かつ、本施錠手段を本施錠状態にして脱着式操作部材を抜き取った時、ケース本体に形成した窓状開口部に本施錠手段と連動する情報表示手段の防犯状態を示す情報が表われていること。【選択図】  図１
2006233708.tif 000002
【特許請求の範囲】
【請求項１】
引戸に取り付けられる錠前にける防犯状態の表示装置に於いて、引戸の室内側に固定したケース本体５に錠前の施錠片４を進退動させ得る仮施錠用摘み操作部材６をスライド自在に設け、一方、摘み操作部材を基準にして前記ケース本体の一端部側又は他端部側に摘み操作部材用本施錠手段７をケース本体の前面から突出しないように設け、該本施錠手段の先端部側に情報表示手段３０を配設し、摘み操作部材を操作して仮施錠状態にした場合、かつ、前記本施錠手段を本施錠状態にして脱着式操作部材２４を抜き取った時、前記ケース本体に形成した窓状開口部８に本施錠手段と連動する情報表示手段３０の防犯状態を示す情報Ｍが表われていることを特徴とする錠前にける防犯状態の表示装置。
【請求項２】
請求項１に於いて、情報表示手段３０は、本施錠手段の突出先端部の駆動部材２６と一体的に回転すると共に、摘み操作部材用ロック片３４に係合する駆動カム３０であることを特徴とする錠前にける防犯状態の表示装置。
【請求項３】
請求項２に於いて、駆動部材２６は、本施錠手段の突出先端部２５に外嵌合する駆動筒２７と、該駆動筒２７に外嵌合する駆動カム３０とで構成されていることを特徴とする錠前にける防犯状態の表示装置。
【請求項４】
引戸に取り付けられる錠前にける防犯状態の表示装置に於いて、引戸の室内側に固定したケース本体５Ａに錠前の施錠片４を進退動させ得る仮施錠用摘み操作部材６をスライド自在に設け、一方、摘み操作部材を基準にして前記ケース本体の一端部側又は他端部側に摘み操作部材用本施錠手段７Ａを設け、この本施錠手段７Ａの突出先端部２５側に、本施錠手段に設けた駆動部材２７Ａによって所定位置へと回され得る情報表示手段３０Ａを配設し、摘み操作部材６を操作して仮施錠状態にした場合、かつ、前記本施錠手段７Ａを本施錠状態にして脱着式操作部材を抜き取った時、ケース本体５Ａに形成した窓状開口部８から前記情報表示手段３０Ａの前面に付した防犯状態を示す識別情報Ｍが表われていることを特徴とする錠前にける防犯状態の表示装置。
【請求項５】
請求項４に於いて、駆動部材２７Ａは、本施錠手段７Ａの後端部から突出する駆動片６１に係合する環状係合板６２ａと、該環状係合板６２ａの周端部から延伸する駆動アーム６２ｂから構成され、該駆動アーム６２ｂの先端部が情報表示手段３０Ａの係合部分に係合することを特徴とする錠前にける防犯状態の表示装置。
【請求項６】
請求項４に於いて、本施錠手段７Ａの駆動力は、駆動部材２７Ａ又は情報表示手段３０Ａを介して摘み操作部材６の移動を阻止する長片状ロック片３４Ａに伝達し得ることを特徴とする錠前にける防犯状態の表示装置。
【発明の詳細な説明】
【技術分野】
【０００１】
本発明は、引戸に取り付けられる錠前にける防犯状態の表示装置に関する。
【背景技術】
【０００２】
特許文献１の段落００３１及び図５，図６（公報中の番号をそのまま用いる）には、「室内側に位置するサムターンベース２３の表面に略三角形状の窓部７５を形成し、一方、サムターンベース２３と錠箱Ａと対面する扉内蓋板４５との間に回転自在に横設された長筒状標示ギヤ３７の端面３７ａに錠前の施解錠状態の情報を示す赤色、黄色、緑色の視認用目印８１を設け、図示しないサムターン本体、合鍵等の操作部材を施錠又は解錠方向へ回転操作した場合に、常に視認用目印の何れかの色が見える旨」が記載されている。
【０００３】
たま、段落００４４には、「上記防犯サムターンによれば、窓部７５に常に標示ギヤ３７の回転位置、すなわち、錠箱Ａの施解錠状態が標示され、摘みの回転位置によっては認識できなくなった施錠ボルトの施解錠状態を容易に確認することができるようになり、摘みの回転位置によっては施解錠状態が認識できなくなった防犯サムターンＣにおいて、施錠から解錠、或いは解錠から施錠への認識が容易となって誤操作をなくし、操作性を向上させることができる。
【０００４】
特に、合鍵の挿脱が定位置、例えば水平位置である構成のシリンダー錠の場合に、操作性を向上させることができる旨」が記載され、また、段落００５０には、発明の効果の一つとして、「サムターンコアに連動する標示ギヤと、サムターンベースに設けられた窓部と、標示ギヤに設けられ所定の回転角度毎に窓部に異なる標示を行う視認用目印とを備えたので、窓部に常に錠箱の施解錠状態が標示され、摘みの回転位置によっては認識できなくなった施錠ボルトの施解錠状態を容易に確認することができるようになる。これにより、摘みの回転位置によっては施解錠状態が認識できなくなった防犯サムターンにおいて、施錠から解錠、或いは解錠から施錠への認識が容易となり、誤操作をなくして、操作性を向上させることができる旨」がそれぞれ記載されている。
【０００５】
したがって、特許文献１には、既に「扉の内壁面にサムターンユニットを構成するサムターン座を取付け、該サムターン座に操作手段（サムターン本体又は内側シリンダー錠用の合鍵）を抜脱自在に差込み、該操作手段の摘みを操作すると、該操作力に基づき、前記サムターンユニットの中に設けた施解錠状態を示す情報表示手段が、サムターンコア、駆動ギヤをそれぞれ介して回転し、錠前の施解錠状態を外部に知らせる構成」が開示されている（公知事項１）。
【０００６】
ところで、建具の錠前が、例えば施錠片を進退動させ得るスライド式の仮施錠用摘み操作部材（開閉体側固定式サムターン）を構成要素としている場合に於いて、該摘み操作部材を仮施錠方向へ操作して施錠片を突出させた場合であっても、泥棒は、室外から道具を用いて該摘み操作部材を解錠状態にしてしまう。
【０００７】
例えば引戸錠が、引戸の室内側に固定されたケースと、このケースに上下方向にスライド自在に装着され、かつ、ケースの垂直案内長孔から突出する摘み部を有する摘み操作板とから成る場合に於いて、泥棒が引戸錠の鎌片を後退させようとする時には、例えば重なり合った内側と外側の框の接合面に硬いバーを差込み、無理やりに隙間を作る。
【０００８】
そして、先端部が鉤状の針金部材（泥棒の道具の一つ）を隙間から差込み、引戸錠を構成する摘み操作板の摘みに引っ掛けようとする。このような場合、針金部材の先端部が摘み部に引っ掛かると、泥棒は摘み部を介して上手に摘み操作板を上方に持ち上げる。そうすると、鎌片が摘み操作板のスライド、連動部材の移動などを介して後退する。
【０００９】
したがって、摘み操作板を単純に持ち上げる又は押し下げるという操作だけで鎌片が施解錠する引戸錠のサムターン装置は、戸のガラスを局部的に破らなくても、不正解除される確立が高いという問題点がある。
【００１０】
そこで、出願人は、このような問題点を解消するために、引戸錠用の摘み操作部材を基準にして、例えばケース本体の上部又は下部位置に摘み操作部材用本施錠手段を設け、摘み操作部材をスライド操作して仮施錠状態にした場合に於いて、前記本施錠手段に脱着式操作部材（例えば合鍵）を差込み、室内側から本施錠手段を本施錠状態にすることができる新規な構成のサムターン装置を提案中である（例えば特願２００４−１６８０１７）。
【００１１】
しかしながら、「仮施錠用摘み操作部材」+「摘み操作部材用本施錠手段」＝引戸用錠前であっても、本施錠手段を操作する手段が脱着式操作部材である場合には、特許文献１と同様に、本施錠手段から脱着式操作部材を取り外した場合には、室内側から引戸錠の施錠状態が一目で判るように適宜な表示装置を設けることが望ましい。
【００１２】
なお、特許文献１の防犯サムターンは、発明の主たる目的が「汎用性を高めるために左右勝手の切替えを可能とすること」であったために、例えばケース本体の前面から突出する、前記標識ギヤ（情報表示手段）が室内側の本施錠手段（例えば内側シリンダ錠）から著しく離れている等という欠点があった（同文献の図３、図４を参照）。そこで、発明の目的及び構成上、意匠上等の理由から、引戸用錠前に適しないという問題があった。
【特許文献１】特開２００４−３６０２１２号公報
【発明の開示】
【発明が解決しようとする課題】
【００１３】
本発明の第１の目的は、「仮施錠用摘み操作部材」+「摘み操作部材用本施錠手段」＝引戸用錠前に於いて、前記本施錠手段を操作する部材が、脱着式操作部材（例えば合鍵）である場合に、施錠状態を居住者に知らせる情報表示手段を、本施錠手段の位置にあわせて合理的に配設し、これにより引戸用錠前に適合する表示装置を提案することである。第２の目的は、各部材を簡単に組み合わせることができることである。第３の目的は、ケース本体（サムターン座）の内部空間を有効的に活用することである。その他の目的は、内側シリンダー錠用の合鍵が存在しない限り、屋外からサムターン装置のロック状態を解消させることができないという目的は、従属項によって限定し得る。
【課題を解決するための手段】
【００１４】
本発明の錠前にける防犯状態の表示装置は、引戸に取り付けられる錠前にける防犯状態の表示装置に於いて、引戸の室内側に固定したケース本体５に錠前の施錠片４を進退動させ得る仮施錠用摘み操作部材６をスライド自在に設け、一方、摘み操作部材を基準にして前記ケース本体の一端部側又は他端部側に摘み操作部材用本施錠手段７をケース本体の前面から突出しないように設け、該本施錠手段の先端部側に情報表示手段３０を配設し、摘み操作部材を操作して仮施錠状態にした場合、かつ、前記本施錠手段を本施錠状態にして脱着式操作部材２４を抜き取った時、前記ケース本体に形成した窓状開口部８に本施錠手段と連動する情報表示手段３０の防犯状態を示す情報Ｍが表われていることを特徴とする。
【００１５】
また、本発明の錠前にける防犯状態の表示装置は、引戸に取り付けられる錠前にける防犯状態の表示装置に於いて、引戸の室内側に固定したケース本体５Ａに錠前の施錠片４を進退動させ得る仮施錠用摘み操作部材６をスライド自在に設け、一方、摘み操作部材を基準にして前記ケース本体の一端部側又は他端部側に摘み操作部材用本施錠手段７Ａをケース本体５Ａの前面から突出しないように設け、設け、この本施錠手段７Ａの突出先端部２５側に、本施錠手段７Ａに設けた駆動部材２７Ａによって所定位置へと回され得る情報表示手段３０Ａを配設し、摘み操作部材６を操作して仮施錠状態にした場合、かつ、前記本施錠手段７Ａを本施錠状態にして脱着式操作部材を抜き取った時、ケース本体５Ａに形成した窓状開口部８から前記情報表示手段３０Ａの前面に付した防犯状態を示す識別情報Ｍが表われていることを特徴とする。
【発明の効果】
【００１６】
（１）「仮施錠用摘み操作部材」+「摘み操作部材用本施錠手段」＝引戸用錠前に於いて、前記本施錠手段を操作する部材が、脱着式操作部材（例えば合鍵）である場合に、施錠状態を居住者に知らせる情報表示手段を、本施錠手段の位置にあわせてケース本体の前面から突出しないように合理的に配設した。したがって、外観上もスマートであり、また本施錠手段の突起部分が障害とならないので、引戸用錠前に適合する。
（２）各部材を簡単に組み合わせることができることができる。
（３）ケース本体（サムターン座）の内部空間を有効的に活用することができる。
（４）実施例によっては、本施錠手段として内側シリンダー錠を設けたので、不正解錠の防止を有効的に図ることができる。すなわち、内側シリンダー錠用の合鍵が存在しない限り、サムターン装置のロック状態を屋外から解消させることができない。
（５）その他ロック機構を構成する部材がケース本体の摘み部等から露出しない実施例の場合には、針金等の工具により容易に破壊されない
【発明を実施するための最良の形態】
【００１７】
以下、図１乃至図１１に示す本発明を実施するための最良の形態により説明する。
【００１８】
（１）発明の実施の環境
図１乃至図１１は、本発明の第１実施例を示す各説明図である。１は引戸錠用サムターン装置である。このサムターン装置１は、例えば内側引戸２の内壁面に固定的に取り付けられる（図５）。引戸錠の構成は特に図示しないが、一般に引戸２の縦框内に設けられ、図５の仮想線で示したように長板状の連動部材３に軸支された施錠片（鎌片）４を有し、施錠片４は相手方の外側引戸或いは戸枠に設けた受け金具に掛合する。本実施例では引戸錠そのものは発明の特定要件ではないので、詳細な説明は割愛する。
【００１９】
図５を参照にしてサムターン装置１の構成部材を大まかに区分けすると、サムターン装置１は、縦長状のケース本体５と、このケース本体５内にスライド自在に内装され、かつ、ケース本体５の案内窓５ａから突出する突起状摘み部を有する摘み操作部材（仮施錠用の非脱着式サムターン本体）６と、前記ケース本体５又は引戸２に固定的に取り付けられた内側シリンダー錠（摘み操作部材用本施錠手段）７と、該内側シリンダー錠の内筒の先端部に設けられ、かつ、一側前面に防犯状態を示す識別情報Ｍが付された情報表示手段３０を含む駆動部材２６を介して内側シリンダー錠７と共働するようにケース本体５内に設けられたロック片３４と、このロック片と係脱するように前記摘み操作部材６に設けられたロック機構の構成部材１０と、この前記ロック機構の構成部材１０の第１回転係合片５０（図６，図７）と係合するサムターン本体の駆動軸１２とを備え、外出の際に、前記内側シリンダー錠７に合鍵（当然のことながら脱着式操作部材）２４を差込み、所定の方向へ回転操作して施錠すると、該内側シリンダー錠７の駆動力により前記ロック片３４がロック機構の構成部材１０の少なくとも一つの回転係合片５５に対して係合するように回転し、該ロック片３４はロック機構の構成部材１０と協力し合って摘み操作部材６の解錠方向への移動（例えば上方へのスライド）を阻止する（ここでは、この状態を「本施錠状態（防犯状態）」という）。
【００２０】
引戸錠用サムターン装置１が本施錠状態の場合には、ケース本体５の内側シリンダー錠７の前方をカバーしている部位（付近も含まれる）に形成された窓状開口部８には、前述した駆動部材２６の円盤状情報表示手段３０の室内側前面の適宜部位に付した本施錠状態の識別情報Ｍが表われる。
【００２１】
なお、サムターン装置１のサムターン本体駆動軸１２は、前述した連動部材３に直接又は間接的に連係しているので、本実施例の駆動軸１２も、図示しない外側シリンター錠の駆動力により、鎌片４乃至連動部材３が解錠方向へ移動すると、それに連動して移動（上下動）し得る。
【００２２】
以下、本発明の特定要件について順次説明するが、細部的事項については、用語の符号を省略する。
【００２３】
（２）ケース本体５
図１、図５で示すようにケース本体５は長枠状に形成されている。前述したように、５ａはケース本体５の中央部に縦方向に形成された長方形状の案内窓である。
【００２４】
さて、ケース本体５は、上下端部に固着具用取り付け孔を有し、固着具を介して引戸２の内壁面に固定される。また、ケース本体５は裏側に所要の嵌合凹所５ｂを有し、この嵌合凹所５ｂは、少なくとも摘み操作部材６のスライド部分及びロック機構の構成部材１０を収納する大きさを有している。嵌合凹所５ｂの中央部は前記案内窓５ａと連通している。また、ケース本体５の裏側には、上端部から下端部にかけてトラック形状の嵌合部５ｃが形成されており、該嵌合部５ｃには長板状或いは枠状の蓋体１１が嵌り合う。
【００２５】
（３）蓋体１１
図５で示すように、蓋体１１は、摘み操作部材６のスライド部分乃至支持部材９を覆うようにケース本体５の裏側に固定される。本実施例の蓋体１１は、ケース本体５の裏側に形成した嵌合部５ｃに嵌合する。もちろん、蓋体１１の嵌合構造は、これに限定するものではなく、例えばケース本体５の裏側に形成した嵌合溝の中に任意形状の蓋体を嵌め込んでも良い。
【００２６】
ここで、図６を参照にして蓋体１１を説明する。蓋体１１の上下端部には、ケース本体５の取り付け孔にそれぞれ符合する複数個の貫通小孔が形成されている。１３は中央部に形成された垂直長孔で、この垂直長孔１３にはサムターン本体駆動軸１２が貫通状態に突出する。１４は開口部で、この開口部には固定筒２２を介して本施錠手段の一例である内側シリンダー錠７が嵌合する。
【００２７】
（４）摘み操作部材６
図５、図６を参照にして説明する。長板状摘み操作部材６は、ケース本体５の嵌合凹所５ｂ内にスライド自在に組み込まれると、その摘み部２０の先端部は案内窓５ａから突出する。本実施例の摘み部２０は空洞であるが、その断面は、図５で示すようにチャンネル形状に形成されているから、後述するロック機構の構成部材１０は、摘み操作部材６の摘み部から露出していない。したがって、泥棒が工具を摘み部２０内に差し込むことが不可能である。
【００２８】
該摘み部２０は前記嵌合凹所５ｂの内壁面を摺動するスライド板部２１の中央部から中空角柱状に突出している。摘み操作部材６の内壁側の具体的構成については割愛するが、他の部材の関係を考慮して、例えば取付け孔、切欠、軸孔、係合部、横向き凹所等を適宜に形成する。
【００２９】
（５）内側シリンダー錠７
内側シリンダー錠７は、図５で示すように、固定筒２２及び固着具２３を介してケース本体５又は／及び引戸２に固定的に取り付けられている。本実施例の内側シリンダー錠７は、ケース本体５の下端部に形成され嵌合孔５ｅ乃至切欠凹所５ｆを介して該ケース本体５の裏側に組み込まれ、かつ、固定筒２２及びケース本体５の取付け孔に螺合する複数本の固着具２３を介してケース本体５に固定される。引戸２の内壁面には、適宜に切欠部を形成する。
【００３０】
ところで、内側シリンダー錠７は、図示しない外側シリンダー錠と同様の構成である。すなわち、内側シリンダー錠７は、外筒体７ａと内筒体７ｂとから成り、前記内筒体７ｂはキー挿入穴を有する。したがって、内側シリンダー錠７は、複数の可動障害子を内蔵し、合鍵２４を前記キー挿入孔に差し込んで内筒体７ｂを所定量回転すると、障害子が移動して、「いわゆるシアーライン」が一致する。内筒体７ｂの駆動力は、本実施例では、内筒体７ｂの突出先端部２５に設けられた駆動部材２６に適宜に与えられる。
【００３１】
（６）内側シリンダー錠７の駆動部材２６
図４で示すように、内側シリンダー錠７の突出先端部２５の外周面には、単数又は複数個（本実施例）の係合部（突起、溝など）２５ａが形成されている。本実施例の駆動部材２６は、嵌合孔の内周面に形成され、かつ、前記突出先端部２５の係合部２５ａと係合する被係合部２８を有する駆動筒（いわゆるダルマに相当）２７と、この駆動筒２７の外周壁に形成された一つの突起部２９と係合するように該駆動筒２７に外嵌合し、かつ、内側シリンダー錠７の本施錠時、後述するロック片３４をロック方向へと押圧する駆動カム３０とから成る。
【００３２】
しかして、前記駆動カム３０は、おむすび形状、ハート型形状、非真円形状等のカム輪郭を有する駆動板部３１を有し、該駆動板部３１には係合部分３２が周方向に設けられている。係合受け部３２の形状は、半円弧状、Ｃ型状、複数個の小突起等に形成されている。本実施例の係合部分３２は、一対の係合端面を有するＣ型状の突起である。
【００３３】
ところで、駆動カム３０は、その一側前面に本施錠状態であることを示す識別情報Ｍを有する。この識別情報Ｍは、操作部材６をスライド操作して仮施錠状態にした場合、かつ、本施錠手段７を本施錠状態にした後に脱着式操作部材２４を抜き取った時、既にケース本体５に形成した窓状開口部８に本施錠手段７の筒状駆動部材２７と連動（一緒に回転）したカム式の情報表示手段３０として室内の居住者に視認させ得る。識別情報Ｍは、本実施例では、解錠状態の場合とは異なる色彩（例えば青、緑など）である。
【００３４】
（７）ロック片３４
板状のロック片３４は、内側シリンダー錠７と共働するように該内側シリンダー錠７の内筒７ｂの突出先端部２５側に回動可能に設けられている。図１乃至図５で示すように、ロック片は、例えば全体として麒麟のイメージが彷彿される形態であり、上下の各部位に他の部材とそれぞれ係合可能な係合部分を有している。
【００３５】
まず、図３を参照にして麒麟の胴体・腰ないし脚部に相当する下部係合部３５は、手前側に駆動カム３０が入り込む門型収容壁３５ａを有している。情報表示手段兼用の円盤状駆動カム３０は、この門型収容壁３５ａの切欠部内を自由に回転する。一方、門型収容壁３５ａの両端縁部には、略直交方向に連設する垂直係合壁３５ｂが形成され、この垂直係合壁３５ｂ．３５ｂに駆動カム３０の駆動板部３１が摺接し得る。
【００３６】
次に、麒麟の首・頭部に相当する上部係合部３６は、前記垂直係合壁３５ｂの一方からストレートに延伸し、その上端部には突片状の係合部３６ａが形成されている。この係合部３６ａは短く、門型収容壁３５ａと同方向に指向している。麒麟形態のロック片３４は、ケース本体５内に位置付けられ、かつ、ピン状の水平軸３７を介して揺動可能に軸支されている。
【００３７】
（８）支持部材９など
図６を参照にして支持部材９を説明する。長板状に形成された支持部材９は、摘み操作部材６の嵌合凹所５ｂを介して該摘み操作部材６の裏側に固定的嵌め込まれ、かつ、ロック機構の構成部材１０を構成する複数個（例えば３個）の回転係合片５０．５３．５５を軸支する。したがって、摘み操作部材６と支持部材９は一体的である（本実施例では、支持部材９もサムターン本体６の構成部分）。
【００３８】
それ故に、支持部材９は、上下端部に摘み操作部材６の取り付け小孔或いは係合小突起にそれぞれ符合する貫通小孔を有する。また、中央部には垂直長孔４０が形成され、該垂直長孔４０にはサムターン本体の駆動軸１２の内端部が遊嵌合する。
【００３９】
しかして、支持部材９の中央部には左右一対の腕状軸受け部４１．４１が設けられている。また支持部材９の下端部には、ピン状の支軸４２が設けられている。
【００４０】
なお、支持部材９の垂直長孔４０には駆動軸１２の内端部が遊嵌合するが、該駆動軸１２の内端部は、支持部材９の外壁面に固定的に接合する単数又は複数枚の捕捉板４５が設けられている。捕捉板４５は任意の大きさに形成される。
【００４１】
（９）ロック機構の構成部材１０
ロック機構の構成部材１０は、摘み操作部材６に支持部材９を介して間接的に設けられ、かつ、施錠時、ロック片３４と共に該摘み操作部材６を初期位置（鎌片が施錠となる位置）の所でロックする。ロック機構の構成部材１０の各回転係合片５０．５３．５５は、少なくとも摘み操作部材６の空洞摘み部２０から食み出ないように摘み部の内部やケース本体５の嵌合凹所５ｂ内に於いて、支持部材９に軸支されている。これにより、工具の攻撃に対して前記構成部材１０を防御することができる。
【００４２】
さて、通常使用の時（内側シリンダー錠が解錠状態の時）に於いて、普通一般にサンタムー装置の摘み操作部材６を自由に上げ（鎌片が解錠）、下げ（初期位置：鎌片が施錠＝仮施錠）することができる。本実施例も同様であり、住人は、室内にいる時は、室内側から摘み操作部材６を上げ（鎌片が解錠）、下げ（初期位置：鎌片が施錠）することができる。この時、本実施例のロック機構の構成部材１０は、図４で示すように、何らロック片３４から拘束されない。それ故に、このままの状態で外出すると、泥棒は屋外から道具を利用して摘み操作部材６を上げることが可能である。
【００４３】
そこで、本発明は、摘み操作部材６を基準にしてケース本体５の一端部側又は他端部側に摘み操作部材用本施錠手段を設けた。例えば図５を参照にすると、本施錠手段７はケース本体５の下端部に横方向にその先端部が突出しないように配設されている。ケース本体５の表面（前面）は、垂直面なので、本施錠手段７の先端面は、ケース本体５の表面と面一になるようにケース本体５の裏側から固定されている。
【００４４】
住人は、内側シリンダー錠７に合鍵２４を差込み、該内側シリンダー錠７を本施錠状態にする。ここで、室内側から見た場合の概略図である図９を参照にして、ロック片３４とロック機構の構成部材１０の少なくとも一つの回転係合片５５との係合関係を説明する。
まず、摘み操作部材６を下げると、施錠片４が突出する。次に、内側シリンダー錠７に合鍵を差込み、内筒体７ｂを時計方向（矢印Ａ）に所定量回転する。この場合、室内側から観察すると、内筒体７ｂは反時計方向に回転する。本実施例では、この内筒体７ｂの突出先端部に駆動部材２６が一体的に外嵌合しているから、駆動部材２６は内筒体７ｂと一緒に回転する。
【００４５】
そこで、駆動部材２６が回転すると、駆動板部３１のカム輪郭によりロック片３４が軸３７を中心に回転傾倒する（図９の右図）。そうすると、ロック片３４の係合部３６ａは、ロック機構の構成部材１０の第３回転係合片５５の上方に塞がる（本施錠状態となる）。したがって、この本施錠状態では、泥棒は室外から工具を利用して摘み操作部材６を図９の右図の上方方向へ引き上げることはできない。
【００４６】
ここで、図６を参照にして、ロック機構の構成部材１０を説明する。５０はサムターン本体駆動軸１２の内端部と係合すると共に、下部側にストッパー部５１を有する第１回転係合片である。この第１回転係合片５０は支持部材９の軸受け部４１．４１に横設軸架された横軸４３に軸支されている。
【００４７】
５２は横軸４３に巻装された第１回転係合片５０用のバネで、このバネ５２の一端部は摘み操作部材６に、一方、他端部は第１回転係合片５０の後端部の内壁面に圧接している。したがって、第１回転係合片５０は、バネ５２のバネ力により常時水平状態になるように付勢されている。
【００４８】
５３は前記第１回転係合片５０と係脱可能な第２回転係合片である。この第２回転係合片５３は、支持部材９の支軸４２に軸支されていると共に、第１回転係合片５０のストッパー部５１と常時係合する親指状の係合部５４を有している。
【００４９】
５５は前記第２回転係合片５３及びロック片３４の係合部３６ａの両方に係脱可能な棒状第３回転係合片で、この第３回転係合片５５は第２回転係合片５３の一側面に接触するように支持部材９の前記支軸４２に軸支されている。第３回転係合片５５は第２回転係合片５３と別体であり、支軸４２を中心にしてフリーに回転可能である反面、他端部に設けられた係合ピン５６を介して第２回転係合片５３を回転させることができる。
【００５０】
（１０）作用
「通常使用の時」…内側シリンダー錠が解錠状態の時、すなわち、室内に誰かがいる場合の使用態様である。図８は前述したように通常使用の時におけるロック機構の構成部材１０の第３回転係合片５５とロック片３４との関係を示す。図８の右側の略図から明らかなように、向こう側に位置する第２回転係合片５３の係合部５４が第１回転係合片５０のストッパー部５１に係合しているために、第３回転係合片５５の反時計方向への回転が阻止されていても、ロック片３４の係合部３６ａと何ら干渉しないから、自由に摘み操作部材６を上げ（鎌片が解錠）、下げ（初期位置：鎌片が仮施錠）することができる。
【００５１】
「内側シリンダー錠の本施錠」…普通一般に、防犯上の観点から、お出かけの際に、内側シリンダー錠７を施錠する。図９は前述したようにお出かけの際に内側シリンダー錠７を合鍵２４で本施錠状態にした場合の説明図である。
【００５２】
図９から明らかなように、合鍵２４を所定量回すと、駆動部材２６駆動力により、ロック片３４が回転傾倒し、その係合部３６ａがロック機構の構成部材１０の第３回転係合片５５の一端部と係合可能な状態となる。
【００５３】
そうすると、本実施例では、図７で示すように、第３回転係合片５５は、第２回転係合片５３を介して第１回転係合片５０のストッパー部５１に常時回転を阻止されているから、摘み操作部材６の上方（解錠）方向へ持ち上げようとしても、第３回転係合片５５の手前側の水平端部が何か（例えばロック片３４）に拘束されている限り、当然のことながら該第３回転係合片５５は回転しない。
【００５４】
換言すると、摘み操作部材６は、脱着自在な合鍵２４の操作により内側シリンダー錠を本施錠状態にすると、ロック片３４及びロック機構の構成部材１０を介して「ロック」されるから、泥棒は、「合鍵」が存在しない限り、摘み操作部材６を持ち上げることができないということになる。
【００５５】
図１０は、本施錠状態にした場合に於ける情報表示手段兼用駆動カム３０の回転態様を示している。前述したように、本実施例では、本施錠状態になると、脱着自在な合鍵２４を抜き取る場合も含め、ケース本体５の窓状開口部８から防犯状態を示す識別情報（例えば緑色）Ｍが表われる。
【００５６】
「屋外からの解錠」…外出先から戻ってきた時は、合鍵の操作により外側シリンター錠を解錠状態にする。先に述べたように、サムターン装置１の駆動軸１２は、連動部材３に連係しているので、外側シリンター錠の駆動力により、鎌片４乃至連動部材３が解錠方向へ移動すると、それに連動して移動する。この時、ロック機構の構成部材１０の第１回転係合片５０は、バネ５２のバネ力に抗して係合解除の方向へと回転するから、第２回転係合片５３は回転可能となる。
【００５７】
つまり、図１１で示すように、外側シリンター錠の駆動力により、第１回転係合片５０は回転するから、サムターン本体駆動軸１２と一体的な部材（、支持部材９及び摘み操作部材６）は移動可能となる。そこで、サムターン本体駆動軸１２の駆動力により、摘み操作部材６が上方方向（図１１の「解錠状態」を示す矢印方向）へ移動すると、第３回転係合片５５はロック片３４の係合部３６ａにより回されることになり、その結果、第２回転係合片５３も第３回転係合片５５の係合ピン５６を介して回転する。
【実施例】
【００５８】
発明の実施の形態で示した実施例に於いて、この識別情報Ｍは、色彩に限定するものではなく、例えば文字、模様、図形、キャラクター等である。また、情報表示手段３０は、カム機能を有する必要はなく、脱着式サムターン部材（合鍵、バー状摘みなど）によって回転し得る構成であれば良い。また、情報表示手段３０の前面の識別情報Ｍは、例えば印刷、識別シール、スタンプ、刻印等によって付される。
【００５９】
さらに、付言すると、ロック片３４の突片状の係合部の形状や数は、任意に設計変更可能であるし、ロック機構の構成部材１０の第２回転係合片５３と第３回転係合片５５を「一つの部材」にすることも可能である。
【００６０】
次に、図１２乃至図１７に示す第２実施例のサムターン装置１Ａについて説明する。第１実施例と同一構成については、同一又は同様の符号を付し、重複する説明を省略する。
【００６１】
この第２実施例の主な相違点は、次の通り。（ａ）駆動部材がダルマ形状の駆動体（いわゆるダルマ）２７Ａのみで構成されている点、換言すれば、駆動体２７Ａと情報表示部材３０Ａとはそれぞれ別個に形成された部材である点、（ｂ）駆動体２７Ａは、本施錠手段（いわゆる内側シリンダ錠）７Ａの後端部から突出する駆動片（いわゆるテールピース）６１に係合する環状係合板６２ａと、該環状係合板６２ａの周端部から端面或いは断面Ｌ型状に延伸する駆動アーム６２ｂから構成されている点、（ｃ）駆動アーム６２ｂが情報表示手段３０Ａを回転させるカム機能を有している点、（ｄ）情報表示手段３０Ａは、本施錠手段７Ａの突出先端部２５に一体的に嵌合する環状板６３ａと、該環状板６３ａの周端部に前記駆動アーム６２ｂの先端部が余裕を持って係合するように周方向に凹所状に突設された係合部分６３ｂとから構成されている点、（ｅ）前記枠状の係合部分６３ｂの前面に防犯状態を示す識別情報Ｍが付されている点、（ｆ）その他長片状のロック片３４Ａの一端部（下端部）がケース本体５Ａ内に固定した支持板９Ａに軸支された長尺状の板片であり、支軸３７から多少突出する下端部（下部係合部）３５は、駆動カム２７Ａの駆動アーム６２ｂの一部分と係合可能であり、一方、その上端部（上部係合部）３６には、ロック機構部材１０の回転係合片と係脱可能な係合爪部３６ａが設けられている。
【００６２】
上記構成に於いて、前記ロック片３４Ａの形状や組込み位置は、適宜に設計変更されているが、本発明の目的との関係に於いては、細部的事項なので、その余の詳細な説明は割愛する。
【００６３】
なお、この第２実施例に於いて、本施錠手段７Ａの駆動力が駆動部材２７Ａの駆動アーム６２ｂを介して直接的に、又は情報表示手段３０Ａの係合部分６３ｂを介して間接的に長片状のロック片３４Ａに伝達し得る。
【００６４】
したがって、第２実施例のサムターン装置１Ａは、本施錠手段７Ａの突出先端部２５側に、本施錠手段７Ａの後端部側に設けた駆動部材２７Ａによって所定位置へと回される情報表示手段３０Ａを配設したので、摘み操作部材６を操作して仮施錠状態にした場合、かつ、前記本施錠手段７Ａを本施錠状態にして脱着式操作部材を抜き取った時、ケース本体５Ａに形成した窓状開口部８から前記情報表示手段３０Ａの前面に付した防犯状態を示す識別情報Ｍが表われている（図１７参照）。
【００６５】
このように、駆動部材２７Ａの駆動アーム６２ｂが情報表示手段３０Ａの係合枠部分６３ｂに係合しているから、駆動部材２７Ａの角度位置如何によって、ケース本体５Ａの窓状開口部８から識別情報Ｍが表われたり、又は見えなくなったりする。それ故に、第１実施例と同一の目的を達成することができる。
【産業上の利用可能性】
【００６６】
本発明は、主に建具や錠前の業界で利用される。
【図面の簡単な説明】
【００６７】
図１乃至図１１は本発明の第１実施例を示す各説明図。図１２乃至図１７は本発明の第２実施例を示す各説明図。
【図１】第１実施例の斜視からの説明図。
【図２】正面からの説明図（要部の概略図も含む）。
【図３】ケース本体とロック片と情報表示手段の位置関係を示す説明図。
【図４】主な部材の分解斜視図（情報表示手段を含む駆動部材、ロック機構のロック片、本施錠手段など）。
【図５】錠前の主な構成部材を縦断面にした概略断面説明図。
【図６】摘み操作部材の主な部材の分解斜視図（ケース本体と蓋板も含む）。
【図７】支持部材とロック機構の構成部材との関係を示す斜視図。
【図８】通常使用の時におけるロック機構の構成部材の回転係合片とロック片との位置関係を示す説明図（通常使用では、仮施錠状態となる）。
【図９】本施錠手段を施錠した時におけるロック片の位置関係を示す説明図。
【図１０】本施錠時の識別情報の回転位置を示す説明図。
【図１１】外側シリンダー錠を解錠した時の説明図。
【図１２】第２実施例の正面からの説明図（要部の概略図も含む）。
【図１３】図５と同様の概略断面説明図。
【図１４】サムターン装置に関連する主な部材の概略説明図（ケース本体の裏側から見た斜視からの概略）。
【図１５】ケース本体の裏側から見た主要部の概略説明図。
【図１６】図１５に於いて、本施錠状態の概略説明図。
【図１７】識別情報の回転位置を示す説明図（図１０と同様）。
【符号の説明】
【００６８】
1，１Ａ…サムターン装置、２…戸、３…連動部材、４…施錠片、５，５Ａ…ケース本体、６…摘み操作部材、８…窓状開口部、Ｍ…識別情報、７，７Ａ…本施錠手段（内側シリンダー錠）、７ａ…外筒体、７ｂ…内筒体、９，９Ａ…支持部材、１０…ロック機構の構成部材、１１…蓋体、１２…サムターン本体の駆動軸、２２…固定筒、２３…固着具、２４…合鍵、２５…突出先端部、２６…駆動部材、２７…駆動筒，２７Ａ…駆動部材、３０…駆動カム（情報表示手段を兼用），３０Ａ…情報表示手段、３１…駆動板部、３２…係合部分、３４，３４Ａ…ロック片、３５…第１（下部）係合部、３６…第１（上部）係合部、３６ａ…係合部、５０．５３．５５…回転係合片、６１…駆動片（テールピース）、６２ａ…環状係合板、６２ｂ…駆動アーム、６３ａ…環状板６、６３ｂ…係合部分。
【図１】
2006233708.tif 000003
【図２】
2006233708.tif 000004
【図３】
2006233708.tif 000005
【図４】
2006233708.tif 000006
【図５】
2006233708.tif 000007
【図６】
2006233708.tif 000008
【図７】
2006233708.tif 000009
【図８】
2006233708.tif 000010
【図９】
2006233708.tif 000011
【図１０】
2006233708.tif 000012
【図１１】
2006233708.tif 000013
【図１２】
2006233708.tif 000014
【図１３】
2006233708.tif 000015
【図１４】
2006233708.tif 000016
【図１５】
2006233708.tif 000017
【図１６】
2006233708.tif 000018
【図１７】
2006233708.tif 000019
【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
引戸に取り付けられる錠前における防犯状態の表示装置に於いて、引戸の室内側に固定したケース本体５に錠前の施錠片４を進退動させ得る仮施錠用摘み操作部材６をスライド自在に設け、一方、摘み操作部材を基準にして前記ケース本体の一端部側又は他端部側に摘み操作部材用本施錠手段７をケース本体の前面から突出しないように設け、該本施錠手段の先端部側に情報表示手段３０を配設し、摘み操作部材を操作して仮施錠状態にした場合、かつ、前記本施錠手段を本施錠状態にして脱着式操作部材２４を抜き取った時、前記ケース本体に形成した窓状開口部８に本施錠手段と連動する情報表示手段３０の防犯状態を示す情報Ｍが表われていることを特徴とする錠前における防犯状態の表示装置。
【請求項２】
請求項１に於いて、情報表示手段３０は、本施錠手段の突出先端部の駆動部材２６と一体的に回転すると共に、摘み操作部材用ロック片３４に係合する駆動カム３０であることを特徴とする錠前における防犯状態の表示装置。
【請求項３】
請求項２に於いて、駆動部材２６は、本施錠手段の突出先端部２５に外嵌合する駆動筒２７と、該駆動筒２７に外嵌合する駆動カム３０とで構成されていることを特徴とする錠前における防犯状態の表示装置。
【請求項４】
引戸に取り付けられる錠前における防犯状態の表示装置に於いて、引戸の室内側に固定したケース本体５Ａに錠前の施錠片４を進退動させ得る仮施錠用摘み操作部材６をスライド自在に設け、一方、摘み操作部材を基準にして前記ケース本体の一端部側又は他端部側に摘み操作部材用本施錠手段７Ａを設け、この本施錠手段７Ａの突出先端部２５側に、本施錠手段に設けた駆動部材２７Ａによって所定位置へと回され得る情報表示手段３０Ａを配設し、摘み操作部材６を操作して仮施錠状態にした場合、かつ、前記本施錠手段７Ａを本施錠状態にして脱着式操作部材を抜き取った時、ケース本体５Ａに形成した窓状開口部８から前記情報表示手段３０Ａの前面に付した防犯状態を示す識別情報Ｍが表われていることを特徴とする錠前における防犯状態の表示装置。
【請求項５】
請求項４に於いて、駆動部材２７Ａは、本施錠手段７Ａの後端部から突出する駆動片６１に係合する環状係合板６２ａと、該環状係合板６２ａの周端部から延伸する駆動アーム６２ｂから構成され、該駆動アーム６２ｂの先端部が情報表示手段３０Ａの係合部分に係合することを特徴とする錠前における防犯状態の表示装置。
【請求項６】
請求項４に於いて、本施錠手段７Ａの駆動力は、駆動部材２７Ａ又は情報表示手段３０Ａを介して摘み操作部材６の移動を阻止する長片状ロック片３４Ａに伝達し得ることを特徴とする錠前における防犯状態の表示装置。
【手続補正２】
【補正対象書類名】明細書
【補正対象項目名】全文
【補正方法】変更
【補正の内容】
【発明の詳細な説明】
【技術分野】
【０００１】
本発明は、引戸に取り付けられる錠前における防犯状態の表示装置に関する。
【背景技術】
【０００２】
特許文献１の段落００３１及び図５，図６（公報中の番号をそのまま用いる）には、「室内側に位置するサムターンベース２３の表面に略三角形状の窓部７５を形成し、一方、サムターンベース２３と錠箱Ａと対面する扉内蓋板４５との間に回転自在に横設された長筒状標示ギヤ３７の端面３７ａに錠前の施解錠状態の情報を示す赤色、黄色、緑色の視認用目印８１を設け、図示しないサムターン本体、合鍵等の操作部材を施錠又は解錠方向へ回転操作した場合に、常に視認用目印の何れかの色が見える旨」が記載されている。
【０００３】
たま、段落００４４には、「上記防犯サムターンによれば、窓部７５に常に標示ギヤ３７の回転位置、すなわち、錠箱Ａの施解錠状態が標示され、摘みの回転位置によっては認識できなくなった施錠ボルトの施解錠状態を容易に確認することができるようになり、摘みの回転位置によっては施解錠状態が認識できなくなった防犯サムターンＣにおいて、施錠から解錠、或いは解錠から施錠への認識が容易となって誤操作をなくし、操作性を向上させることができる。
【０００４】
特に、合鍵の挿脱が定位置、例えば水平位置である構成のシリンダー錠の場合に、操作性を向上させることができる旨」が記載され、また、段落００５０には、発明の効果の一つとして、「サムターンコアに連動する標示ギヤと、サムターンベースに設けられた窓部と、標示ギヤに設けられ所定の回転角度毎に窓部に異なる標示を行う視認用目印とを備えたので、窓部に常に錠箱の施解錠状態が標示され、摘みの回転位置によっては認識できなくなった施錠ボルトの施解錠状態を容易に確認することができるようになる。これにより、摘みの回転位置によっては施解錠状態が認識できなくなった防犯サムターンにおいて、施錠から解錠、或いは解錠から施錠への認識が容易となり、誤操作をなくして、操作性を向上させることができる旨」がそれぞれ記載されている。
【０００５】
したがって、特許文献１には、既に「扉の内壁面にサムターンユニットを構成するサムターン座を取付け、該サムターン座に操作手段（サムターン本体又は内側シリンダー錠用の合鍵）を抜脱自在に差込み、該操作手段の摘みを操作すると、該操作力に基づき、前記サムターンユニットの中に設けた施解錠状態を示す情報表示手段が、サムターンコア、駆動ギヤをそれぞれ介して回転し、錠前の施解錠状態を外部に知らせる構成」が開示されている（公知事項１）。
【０００６】
ところで、建具の錠前が、例えば施錠片を進退動させ得るスライド式の仮施錠用摘み操作部材（開閉体側固定式サムターン）を構成要素としている場合に於いて、該摘み操作部材を仮施錠方向へ操作して施錠片を突出させた場合であっても、泥棒は、室外から道具を用いて該摘み操作部材を解錠状態にしてしまう。
【０００７】
例えば引戸錠が、引戸の室内側に固定されたケースと、このケースに上下方向にスライド自在に装着され、かつ、ケースの垂直案内長孔から突出する摘み部を有する摘み操作板とから成る場合に於いて、泥棒が引戸錠の鎌片を後退させようとする時には、例えば重なり合った内側と外側の框の接合面に硬いバーを差込み、無理やりに隙間を作る。
【０００８】
そして、先端部が鉤状の針金部材（泥棒の道具の一つ）を隙間から差込み、引戸錠を構成する摘み操作板の摘みに引っ掛けようとする。このような場合、針金部材の先端部が摘み部に引っ掛かると、泥棒は摘み部を介して上手に摘み操作板を上方に持ち上げる。そうすると、鎌片が摘み操作板のスライド、連動部材の移動などを介して後退する。
【０００９】
したがって、摘み操作板を単純に持ち上げる又は押し下げるという操作だけで鎌片が施解錠する引戸錠のサムターン装置は、戸のガラスを局部的に破らなくても、不正解除される確立が高いという問題点がある。
【００１０】
そこで、出願人は、このような問題点を解消するために、引戸錠用の摘み操作部材を基準にして、例えばケース本体の上部又は下部位置に摘み操作部材用本施錠手段を設け、摘み操作部材をスライド操作して仮施錠状態にした場合に於いて、前記本施錠手段に脱着式操作部材（例えば合鍵）を差込み、室内側から本施錠手段を本施錠状態にすることができる新規な構成のサムターン装置を提案中である（例えば特願２００４−１６８０１７）。
【００１１】
しかしながら、「仮施錠用摘み操作部材」+「摘み操作部材用本施錠手段」＝引戸用錠前であっても、本施錠手段を操作する手段が脱着式操作部材である場合には、特許文献１と同様に、本施錠手段から脱着式操作部材を取り外した場合には、室内側から引戸錠の施錠状態が一目で判るように適宜な表示装置を設けることが望ましい。
【００１２】
なお、特許文献１の防犯サムターンは、発明の主たる目的が「汎用性を高めるために左右勝手の切替えを可能とすること」であったために、例えばケース本体の前面から突出する、前記標識ギヤ（情報表示手段）が室内側の本施錠手段（例えば内側シリンダ錠）から著しく離れている等という欠点があった（同文献の図３、図４を参照）。そこで、発明の目的及び構成上、意匠上等の理由から、引戸用錠前に適しないという問題があった。
【特許文献１】特開２００４−３６０２１２号公報
【発明の開示】
【発明が解決しようとする課題】
【００１３】
本発明の第１の目的は、「仮施錠用摘み操作部材」+「摘み操作部材用本施錠手段」＝引戸用錠前に於いて、前記本施錠手段を操作する部材が、脱着式操作部材（例えば合鍵）である場合に、施錠状態を居住者に知らせる情報表示手段を、本施錠手段の位置にあわせて合理的に配設し、これにより引戸用錠前に適合する表示装置を提案することである。第２の目的は、各部材を簡単に組み合わせることができることである。第３の目的は、ケース本体（サムターン座）の内部空間を有効的に活用することである。その他の目的は、内側シリンダー錠用の合鍵が存在しない限り、屋外からサムターン装置のロック状態を解消させることができないという目的は、従属項によって限定し得る。
【課題を解決するための手段】
【００１４】
本発明の錠前における防犯状態の表示装置は、引戸に取り付けられる錠前における防犯状態の表示装置に於いて、引戸の室内側に固定したケース本体５に錠前の施錠片４を進退動させ得る仮施錠用摘み操作部材６をスライド自在に設け、一方、摘み操作部材を基準にして前記ケース本体の一端部側又は他端部側に摘み操作部材用本施錠手段７をケース本体の前面から突出しないように設け、該本施錠手段の先端部側に情報表示手段３０を配設し、摘み操作部材を操作して仮施錠状態にした場合、かつ、前記本施錠手段を本施錠状態にして脱着式操作部材２４を抜き取った時、前記ケース本体に形成した窓状開口部８に本施錠手段と連動する情報表示手段３０の防犯状態を示す情報Ｍが表われていることを特徴とする。
【００１５】
また、本発明の錠前における防犯状態の表示装置は、引戸に取り付けられる錠前における防犯状態の表示装置に於いて、引戸の室内側に固定したケース本体５Ａに錠前の施錠片４を進退動させ得る仮施錠用摘み操作部材６をスライド自在に設け、一方、摘み操作部材を基準にして前記ケース本体の一端部側又は他端部側に摘み操作部材用本施錠手段７Ａをケース本体５Ａの前面から突出しないように設け、設け、この本施錠手段７Ａの突出先端部２５側に、本施錠手段７Ａに設けた駆動部材２７Ａによって所定位置へと回され得る情報表示手段３０Ａを配設し、摘み操作部材６を操作して仮施錠状態にした場合、かつ、前記本施錠手段７Ａを本施錠状態にして脱着式操作部材を抜き取った時、ケース本体５Ａに形成した窓状開口部８から前記情報表示手段３０Ａの前面に付した防犯状態を示す識別情報Ｍが表われていることを特徴とする。
【発明の効果】
【００１６】
（１）「仮施錠用摘み操作部材」+「摘み操作部材用本施錠手段」＝引戸用錠前に於いて、前記本施錠手段を操作する部材が、脱着式操作部材（例えば合鍵）である場合に、施錠状態を居住者に知らせる情報表示手段を、本施錠手段の位置にあわせてケース本体の前面から突出しないように合理的に配設した。したがって、外観上もスマートであり、また本施錠手段の突起部分が障害とならないので、引戸用錠前に適合する。
（２）各部材を簡単に組み合わせることができることができる。
（３）ケース本体（サムターン座）の内部空間を有効的に活用することができる。
（４）実施例によっては、本施錠手段として内側シリンダー錠を設けたので、不正解錠の防止を有効的に図ることができる。すなわち、内側シリンダー錠用の合鍵が存在しない限り、サムターン装置のロック状態を屋外から解消させることができない。
（５）その他ロック機構を構成する部材がケース本体の摘み部等から露出しない実施例の場合には、針金等の工具により容易に破壊されない
【発明を実施するための最良の形態】
【００１７】
以下、図１乃至図１１に示す本発明を実施するための最良の形態により説明する。
【００１８】
（１）発明の実施の環境
図１乃至図１１は、本発明の第１実施例を示す各説明図である。１は引戸錠用サムターン装置である。このサムターン装置１は、例えば内側引戸２の内壁面に固定的に取り付けられる（図５）。引戸錠の構成は特に図示しないが、一般に引戸２の縦框内に設けられ、図５の仮想線で示したように長板状の連動部材３に軸支された施錠片（鎌片）４を有し、施錠片４は相手方の外側引戸或いは戸枠に設けた受け金具に掛合する。本実施例では引戸錠そのものは発明の特定要件ではないので、詳細な説明は割愛する。
【００１９】
図５を参照にしてサムターン装置１の構成部材を大まかに区分けすると、サムターン装置１は、縦長状のケース本体５と、このケース本体５内にスライド自在に内装され、かつ、ケース本体５の案内窓５ａから突出する突起状摘み部を有する摘み操作部材（仮施錠用の非脱着式サムターン本体）６と、前記ケース本体５又は引戸２に固定的に取り付けられた内側シリンダー錠（摘み操作部材用本施錠手段）７と、該内側シリンダー錠の内筒の先端部に設けられ、かつ、一側前面に防犯状態を示す識別情報Ｍが付された情報表示手段３０を含む駆動部材２６を介して内側シリンダー錠７と共働するようにケース本体５内に設けられたロック片３４と、このロック片と係脱するように前記摘み操作部材６に設けられたロック機構の構成部材１０と、この前記ロック機構の構成部材１０の第１回転係合片５０（図６，図７）と係合するサムターン本体の駆動軸１２とを備え、外出の際に、前記内側シリンダー錠７に合鍵（当然のことながら脱着式操作部材）２４を差込み、所定の方向へ回転操作して施錠すると、該内側シリンダー錠７の駆動力により前記ロック片３４がロック機構の構成部材１０の少なくとも一つの回転係合片５５に対して係合するように回転し、該ロック片３４はロック機構の構成部材１０と協力し合って摘み操作部材６の解錠方向への移動（例えば上方へのスライド）を阻止する（ここでは、この状態を「本施錠状態（防犯状態）」という）。
【００２０】
引戸錠用サムターン装置１が本施錠状態の場合には、ケース本体５の内側シリンダー錠７の前方をカバーしている部位（付近も含まれる）に形成された窓状開口部８には、前述した駆動部材２６の円盤状情報表示手段３０の室内側前面の適宜部位に付した本施錠状態の識別情報Ｍが表われる。
【００２１】
なお、サムターン装置１のサムターン本体駆動軸１２は、前述した連動部材３に直接又は間接的に連係しているので、本実施例の駆動軸１２も、図示しない外側シリンダー錠の駆動力により、鎌片４乃至連動部材３が解錠方向へ移動すると、それに連動して移動（上下動）し得る。
【００２２】
以下、本発明の特定要件について順次説明するが、細部的事項については、用語の符号を省略する。
【００２３】
（２）ケース本体５
図１、図５で示すようにケース本体５は長枠状に形成されている。前述したように、５ａはケース本体５の中央部に縦方向に形成された長方形状の案内窓である。
【００２４】
さて、ケース本体５は、上下端部に固着具用取り付け孔を有し、固着具を介して引戸２の内壁面に固定される。また、ケース本体５は裏側に所要の嵌合凹所５ｂを有し、この嵌合凹所５ｂは、少なくとも摘み操作部材６のスライド部分及びロック機構の構成部材１０を収納する大きさを有している。嵌合凹所５ｂの中央部は前記案内窓５ａと連通している。また、ケース本体５の裏側には、上端部から下端部にかけてトラック形状の嵌合部５ｃが形成されており、該嵌合部５ｃには長板状或いは枠状の蓋体１１が嵌り合う。
【００２５】
（３）蓋体１１
図５で示すように、蓋体１１は、摘み操作部材６のスライド部分乃至支持部材９を覆うようにケース本体５の裏側に固定される。本実施例の蓋体１１は、ケース本体５の裏側に形成した嵌合部５ｃに嵌合する。もちろん、蓋体１１の嵌合構造は、これに限定するものではなく、例えばケース本体５の裏側に形成した嵌合溝の中に任意形状の蓋体を嵌め込んでも良い。
【００２６】
ここで、図６を参照にして蓋体１１を説明する。蓋体１１の上下端部には、ケース本体５の取り付け孔にそれぞれ符合する複数個の貫通小孔が形成されている。１３は中央部に形成された垂直長孔で、この垂直長孔１３にはサムターン本体駆動軸１２が貫通状態に突出する。１４は開口部で、この開口部には固定筒２２を介して本施錠手段の一例である内側シリンダー錠７が嵌合する。
【００２７】
（４）摘み操作部材６
図５、図６を参照にして説明する。長板状摘み操作部材６は、ケース本体５の嵌合凹所５ｂ内にスライド自在に組み込まれると、その摘み部２０の先端部は案内窓５ａから突出する。本実施例の摘み部２０は空洞であるが、その断面は、図５で示すようにチャンネル形状に形成されているから、後述するロック機構の構成部材１０は、摘み操作部材６の摘み部から露出していない。したがって、泥棒が工具を摘み部２０内に差し込むことが不可能である。
【００２８】
該摘み部２０は前記嵌合凹所５ｂの内壁面を摺動するスライド板部２１の中央部から中空角柱状に突出している。摘み操作部材６の内壁側の具体的構成については割愛するが、他の部材の関係を考慮して、例えば取付け孔、切欠、軸孔、係合部、横向き凹所等を適宜に形成する。
【００２９】
（５）内側シリンダー錠７
内側シリンダー錠７は、図５で示すように、固定筒２２及び固着具２３を介してケース本体５又は／及び引戸２に固定的に取り付けられている。本実施例の内側シリンダー錠７は、ケース本体５の下端部に形成され嵌合孔５ｅ乃至切欠凹所５ｆを介して該ケース本体５の裏側に組み込まれ、かつ、固定筒２２及びケース本体５の取付け孔に螺合する複数本の固着具２３を介してケース本体５に固定される。引戸２の内壁面には、適宜に切欠部を形成する。
【００３０】
ところで、内側シリンダー錠７は、図示しない外側シリンダー錠と同様の構成である。すなわち、内側シリンダー錠７は、外筒体７ａと内筒体７ｂとから成り、前記内筒体７ｂはキー挿入穴を有する。したがって、内側シリンダー錠７は、複数の可動障害子を内蔵し、合鍵２４を前記キー挿入孔に差し込んで内筒体７ｂを所定量回転すると、障害子が移動して、「いわゆるシアーライン」が一致する。内筒体７ｂの駆動力は、本実施例では、内筒体７ｂの突出先端部２５に設けられた駆動部材２６に適宜に与えられる。
【００３１】
（６）内側シリンダー錠７の駆動部材２６
図４で示すように、内側シリンダー錠７の突出先端部２５の外周面には、単数又は複数個（本実施例）の係合部（突起、溝など）２５ａが形成されている。本実施例の駆動部材２６は、嵌合孔の内周面に形成され、かつ、前記突出先端部２５の係合部２５ａと係合する被係合部２８を有する駆動筒（いわゆるダルマに相当）２７と、この駆動筒２７の外周壁に形成された一つの突起部２９と係合するように該駆動筒２７に外嵌合し、かつ、内側シリンダー錠７の本施錠時、後述するロック片３４をロック方向へと押圧する駆動カム３０とから成る。
【００３２】
しかして、前記駆動カム３０は、おむすび形状、ハート型形状、非真円形状等のカム輪郭を有する駆動板部３１を有し、該駆動板部３１には係合部分３２が周方向に設けられている。係合受け部３２の形状は、半円弧状、Ｃ型状、複数個の小突起等に形成されている。本実施例の係合部分３２は、一対の係合端面を有するＣ型状の突起である。
【００３３】
ところで、駆動カム３０は、その一側前面に本施錠状態であることを示す識別情報Ｍを有する。この識別情報Ｍは、操作部材６をスライド操作して仮施錠状態にした場合、かつ、本施錠手段７を本施錠状態にした後に脱着式操作部材２４を抜き取った時、既にケース本体５に形成した窓状開口部８に本施錠手段７の筒状駆動部材２７と連動（一緒に回転）したカム式の情報表示手段３０として室内の居住者に視認させ得る。識別情報Ｍは、本実施例では、解錠状態の場合とは異なる色彩（例えば青、緑など）である。
【００３４】
（７）ロック片３４
板状のロック片３４は、内側シリンダー錠７と共働するように該内側シリンダー錠７の内筒７ｂの突出先端部２５側に回動可能に設けられている。図１乃至図５で示すように、ロック片は、例えば全体として麒麟のイメージが彷彿される形態であり、上下の各部位に他の部材とそれぞれ係合可能な係合部分を有している。
【００３５】
まず、図３を参照にして麒麟の胴体・腰ないし脚部に相当する下部係合部３５は、手前側に駆動カム３０が入り込む門型収容壁３５ａを有している。情報表示手段兼用の円盤状駆動カム３０は、この門型収容壁３５ａの切欠部内を自由に回転する。一方、門型収容壁３５ａの両端縁部には、略直交方向に連設する垂直係合壁３５ｂが形成され、この垂直係合壁３５ｂ．３５ｂに駆動カム３０の駆動板部３１が摺接し得る。
【００３６】
次に、麒麟の首・頭部に相当する上部係合部３６は、前記垂直係合壁３５ｂの一方からストレートに延伸し、その上端部には突片状の係合部３６ａが形成されている。この係合部３６ａは短く、門型収容壁３５ａと同方向に指向している。麒麟形態のロック片３４は、ケース本体５内に位置付けられ、かつ、ピン状の水平軸３７を介して揺動可能に軸支されている。
【００３７】
（８）支持部材９など
図６を参照にして支持部材９を説明する。長板状に形成された支持部材９は、摘み操作部材６の嵌合凹所５ｂを介して該摘み操作部材６の裏側に固定的嵌め込まれ、かつ、ロック機構の構成部材１０を構成する複数個（例えば３個）の回転係合片５０．５３．５５を軸支する。したがって、摘み操作部材６と支持部材９は一体的である（本実施例では、支持部材９もサムターン本体６の構成部分）。
【００３８】
それ故に、支持部材９は、上下端部に摘み操作部材６の取り付け小孔或いは係合小突起にそれぞれ符合する貫通小孔を有する。また、中央部には垂直長孔４０が形成され、該垂直長孔４０にはサムターン本体の駆動軸１２の内端部が遊嵌合する。
【００３９】
しかして、支持部材９の中央部には左右一対の腕状軸受け部４１．４１が設けられている。また支持部材９の下端部には、ピン状の支軸４２が設けられている。
【００４０】
なお、支持部材９の垂直長孔４０には駆動軸１２の内端部が遊嵌合するが、該駆動軸１２の内端部は、支持部材９の外壁面に固定的に接合する単数又は複数枚の捕捉板４５が設けられている。捕捉板４５は任意の大きさに形成される。
【００４１】
（９）ロック機構の構成部材１０
ロック機構の構成部材１０は、摘み操作部材６に支持部材９を介して間接的に設けられ、かつ、施錠時、ロック片３４と共に該摘み操作部材６を初期位置（鎌片が施錠となる位置）の所でロックする。ロック機構の構成部材１０の各回転係合片５０．５３．５５は、少なくとも摘み操作部材６の空洞摘み部２０から食み出ないように摘み部の内部やケース本体５の嵌合凹所５ｂ内に於いて、支持部材９に軸支されている。これにより、工具の攻撃に対して前記構成部材１０を防御することができる。
【００４２】
さて、通常使用の時（内側シリンダー錠が解錠状態の時）に於いて、普通一般にサンタムー装置の摘み操作部材６を自由に上げ（鎌片が解錠）、下げ（初期位置：鎌片が施錠＝仮施錠）することができる。本実施例も同様であり、住人は、室内にいる時は、室内側から摘み操作部材６を上げ（鎌片が解錠）、下げ（初期位置：鎌片が施錠）することができる。この時、本実施例のロック機構の構成部材１０は、図４で示すように、何らロック片３４から拘束されない。それ故に、このままの状態で外出すると、泥棒は屋外から道具を利用して摘み操作部材６を上げることが可能である。
【００４３】
そこで、本発明は、摘み操作部材６を基準にしてケース本体５の一端部側又は他端部側に摘み操作部材用本施錠手段を設けた。例えば図５を参照にすると、本施錠手段７はケース本体５の下端部に横方向にその先端部が突出しないように配設されている。ケース本体５の表面（前面）は、垂直面なので、本施錠手段７の先端面は、ケース本体５の表面と面一になるようにケース本体５の裏側から固定されている。
【００４４】
住人は、内側シリンダー錠７に合鍵２４を差込み、該内側シリンダー錠７を本施錠状態にする。ここで、室内側から見た場合の概略図である図９を参照にして、ロック片３４とロック機構の構成部材１０の少なくとも一つの回転係合片５５との係合関係を説明する。
まず、摘み操作部材６を下げると、施錠片４が突出する。次に、内側シリンダー錠７に合鍵を差込み、内筒体７ｂを時計方向（矢印Ａ）に所定量回転する。この場合、室内側から観察すると、内筒体７ｂは反時計方向に回転する。本実施例では、この内筒体７ｂの突出先端部に駆動部材２６が一体的に外嵌合しているから、駆動部材２６は内筒体７ｂと一緒に回転する。
【００４５】
そこで、駆動部材２６が回転すると、駆動板部３１のカム輪郭によりロック片３４が軸３７を中心に回転傾倒する（図９の右図）。そうすると、ロック片３４の係合部３６ａは、ロック機構の構成部材１０の第３回転係合片５５の上方に塞がる（本施錠状態となる）。したがって、この本施錠状態では、泥棒は室外から工具を利用して摘み操作部材６を図９の右図の上方方向へ引き上げることはできない。
【００４６】
ここで、図６を参照にして、ロック機構の構成部材１０を説明する。５０はサムターン本体駆動軸１２の内端部と係合すると共に、下部側にストッパー部５１を有する第１回転係合片である。この第１回転係合片５０は支持部材９の軸受け部４１．４１に横設軸架された横軸４３に軸支されている。
【００４７】
５２は横軸４３に巻装された第１回転係合片５０用のバネで、このバネ５２の一端部は摘み操作部材６に、一方、他端部は第１回転係合片５０の後端部の内壁面に圧接している。したがって、第１回転係合片５０は、バネ５２のバネ力により常時水平状態になるように付勢されている。
【００４８】
５３は前記第１回転係合片５０と係脱可能な第２回転係合片である。この第２回転係合片５３は、支持部材９の支軸４２に軸支されていると共に、第１回転係合片５０のストッパー部５１と常時係合する親指状の係合部５４を有している。
【００４９】
５５は前記第２回転係合片５３及びロック片３４の係合部３６ａの両方に係脱可能な棒状第３回転係合片で、この第３回転係合片５５は第２回転係合片５３の一側面に接触するように支持部材９の前記支軸４２に軸支されている。第３回転係合片５５は第２回転係合片５３と別体であり、支軸４２を中心にしてフリーに回転可能である反面、他端部に設けられた係合ピン５６を介して第２回転係合片５３を回転させることができる。
【００５０】
（１０）作用
「通常使用の時」…内側シリンダー錠が解錠状態の時、すなわち、室内に誰かがいる場合の使用態様である。図８は前述したように通常使用の時におけるロック機構の構成部材１０の第３回転係合片５５とロック片３４との関係を示す。図８の右側の略図から明らかなように、向こう側に位置する第２回転係合片５３の係合部５４が第１回転係合片５０のストッパー部５１に係合しているために、第３回転係合片５５の反時計方向への回転が阻止されていても、ロック片３４の係合部３６ａと何ら干渉しないから、自由に摘み操作部材６を上げ（鎌片が解錠）、下げ（初期位置：鎌片が仮施錠）することができる。
【００５１】
「内側シリンダー錠の本施錠」…普通一般に、防犯上の観点から、お出かけの際に、内側シリンダー錠７を施錠する。図９は前述したようにお出かけの際に内側シリンダー錠７を合鍵２４で本施錠状態にした場合の説明図である。
【００５２】
図９から明らかなように、合鍵２４を所定量回すと、駆動部材２６駆動力により、ロック片３４が回転傾倒し、その係合部３６ａがロック機構の構成部材１０の第３回転係合片５５の一端部と係合可能な状態となる。
【００５３】
そうすると、本実施例では、図７で示すように、第３回転係合片５５は、第２回転係合片５３を介して第１回転係合片５０のストッパー部５１に常時回転を阻止されているから、摘み操作部材６の上方（解錠）方向へ持ち上げようとしても、第３回転係合片５５の手前側の水平端部が何か（例えばロック片３４）に拘束されている限り、当然のことながら該第３回転係合片５５は回転しない。
【００５４】
換言すると、摘み操作部材６は、脱着自在な合鍵２４の操作により内側シリンダー錠を本施錠状態にすると、ロック片３４及びロック機構の構成部材１０を介して「ロック」されるから、泥棒は、「合鍵」が存在しない限り、摘み操作部材６を持ち上げることができないということになる。
【００５５】
図１０は、本施錠状態にした場合に於ける情報表示手段兼用駆動カム３０の回転態様を示している。前述したように、本実施例では、本施錠状態になると、脱着自在な合鍵２４を抜き取る場合も含め、ケース本体５の窓状開口部８から防犯状態を示す識別情報（例えば緑色）Ｍが表われる。
【００５６】
「屋外からの解錠」…外出先から戻ってきた時は、合鍵の操作により外側シリンター錠を解錠状態にする。先に述べたように、サムターン装置１の駆動軸１２は、連動部材３に連係しているので、外側シリンター錠の駆動力により、鎌片４乃至連動部材３が解錠方向へ移動すると、それに連動して移動する。この時、ロック機構の構成部材１０の第１回転係合片５０は、バネ５２のバネ力に抗して係合解除の方向へと回転するから、第２回転係合片５３は回転可能となる。
【００５７】
つまり、図１１で示すように、外側シリンター錠の駆動力により、第１回転係合片５０は回転するから、サムターン本体駆動軸１２と一体的な部材（、支持部材９及び摘み操作部材６）は移動可能となる。そこで、サムターン本体駆動軸１２の駆動力により、摘み操作部材６が上方方向（図１１の「解錠状態」を示す矢印方向）へ移動すると、第３回転係合片５５はロック片３４の係合部３６ａにより回されることになり、その結果、第２回転係合片５３も第３回転係合片５５の係合ピン５６を介して回転する。
【実施例】
【００５８】
発明の実施の形態で示した実施例に於いて、この識別情報Ｍは、色彩に限定するものではなく、例えば文字、模様、図形、キャラクター等である。また、情報表示手段３０は、カム機能を有する必要はなく、脱着式サムターン部材（合鍵、バー状摘みなど）によって回転し得る構成であれば良い。また、情報表示手段３０の前面の識別情報Ｍは、例えば印刷、識別シール、スタンプ、刻印等によって付される。
【００５９】
さらに、付言すると、ロック片３４の突片状の係合部の形状や数は、任意に設計変更可能であるし、ロック機構の構成部材１０の第２回転係合片５３と第３回転係合片５５を「一つの部材」にすることも可能である。
【００６０】
次に、図１２乃至図１７に示す第２実施例のサムターン装置１Ａについて説明する。第１実施例と同一構成については、同一又は同様の符号を付し、重複する説明を省略する。
【００６１】
この第２実施例の主な相違点は、次の通り。（ａ）駆動部材がダルマ形状の駆動体（いわゆるダルマ）２７Ａのみで構成されている点、換言すれば、駆動体２７Ａと情報表示部材３０Ａとはそれぞれ別個に形成された部材である点、（ｂ）駆動体２７Ａは、本施錠手段（いわゆる内側シリンダ錠）７Ａの後端部から突出する駆動片（いわゆるテールピース）６１に係合する環状係合板６２ａと、該環状係合板６２ａの周端部から端面或いは断面Ｌ型状に延伸する駆動アーム６２ｂから構成されている点、（ｃ）駆動アーム６２ｂが情報表示手段３０Ａを回転させるカム機能を有している点、（ｄ）情報表示手段３０Ａは、本施錠手段７Ａの突出先端部２５に一体的に嵌合する環状板６３ａと、該環状板６３ａの周端部に前記駆動アーム６２ｂの先端部が余裕を持って係合するように周方向に凹所状に突設された係合部分６３ｂとから構成されている点、（ｅ）前記枠状の係合部分６３ｂの前面に防犯状態を示す識別情報Ｍが付されている点、（ｆ）その他長片状のロック片３４Ａの一端部（下端部）がケース本体５Ａ内に固定した支持板９Ａに軸支された長尺状の板片であり、支軸３７から多少突出する下端部（下部係合部）３５は、駆動カム２７Ａの駆動アーム６２ｂの一部分と係合可能であり、一方、その上端部（上部係合部）３６には、ロック機構部材１０の回転係合片と係脱可能な係合爪部３６ａが設けられている。
【００６２】
上記構成に於いて、前記ロック片３４Ａの形状や組込み位置は、適宜に設計変更されているが、本発明の目的との関係に於いては、細部的事項なので、その余の詳細な説明は割愛する。
【００６３】
なお、この第２実施例に於いて、本施錠手段７Ａの駆動力が駆動部材２７Ａの駆動アーム６２ｂを介して直接的に、又は情報表示手段３０Ａの係合部分６３ｂを介して間接的に長片状のロック片３４Ａに伝達し得る。
【００６４】
したがって、第２実施例のサムターン装置１Ａは、本施錠手段７Ａの突出先端部２５側に、本施錠手段７Ａの後端部側に設けた駆動部材２７Ａによって所定位置へと回される情報表示手段３０Ａを配設したので、摘み操作部材６を操作して仮施錠状態にした場合、かつ、前記本施錠手段７Ａを本施錠状態にして脱着式操作部材を抜き取った時、ケース本体５Ａに形成した窓状開口部８から前記情報表示手段３０Ａの前面に付した防犯状態を示す識別情報Ｍが表われている（図１７参照）。
【００６５】
このように、駆動部材２７Ａの駆動アーム６２ｂが情報表示手段３０Ａの係合枠部分６３ｂに係合しているから、駆動部材２７Ａの角度位置如何によって、ケース本体５Ａの窓状開口部８から識別情報Ｍが表われたり、又は見えなくなったりする。それ故に、第１実施例と同一の目的を達成することができる。
【産業上の利用可能性】
【００６６】
本発明は、主に建具や錠前の業界で利用される。
【図面の簡単な説明】
【００６７】
図１乃至図１１は本発明の第１実施例を示す各説明図。図１２乃至図１７は本発明の第２実施例を示す各説明図。
【図１】第１実施例の斜視からの説明図。
【図２】正面からの説明図（要部の概略図も含む）。
【図３】ケース本体とロック片と情報表示手段の位置関係を示す説明図。
【図４】主な部材の分解斜視図（情報表示手段を含む駆動部材、ロック機構のロック片、本施錠手段など）。
【図５】錠前の主な構成部材を縦断面にした概略断面説明図。
【図６】摘み操作部材の主な部材の分解斜視図（ケース本体と蓋板も含む）。
【図７】支持部材とロック機構の構成部材との関係を示す斜視図。
【図８】通常使用の時におけるロック機構の構成部材の回転係合片とロック片との位置関係を示す説明図（通常使用では、仮施錠状態となる）。
【図９】本施錠手段を施錠した時におけるロック片の位置関係を示す説明図。
【図１０】本施錠時の識別情報の回転位置を示す説明図。
【図１１】外側シリンダー錠を解錠した時の説明図。
【図１２】第２実施例の正面からの説明図（要部の概略図も含む）。
【図１３】図５と同様の概略断面説明図。
【図１４】サムターン装置に関連する主な部材の概略説明図（ケース本体の裏側から見た斜視からの概略）。
【図１５】ケース本体の裏側から見た主要部の概略説明図。
【図１６】図１５に於いて、本施錠状態の概略説明図。
【図１７】識別情報の回転位置を示す説明図（図１０と同様）。
【符号の説明】
【００６８】
1，１Ａ…サムターン装置、２…戸、３…連動部材、４…施錠片、５，５Ａ…ケース本体、６…摘み操作部材、８…窓状開口部、Ｍ…識別情報、７，７Ａ…本施錠手段（内側シリンダー錠）、７ａ…外筒体、７ｂ…内筒体、９，９Ａ…支持部材、１０…ロック機構の構成部材、１１…蓋体、１２…サムターン本体の駆動軸、２２…固定筒、２３…固着具、２４…合鍵、２５…突出先端部、２６…駆動部材、２７…駆動筒，２７Ａ…駆動部材、３０…駆動カム（情報表示手段を兼用），３０Ａ…情報表示手段、３１…駆動板部、３２…係合部分、３４，３４Ａ…ロック片、３５…第１（下部）係合部、３６…第１（上部）係合部、３６ａ…係合部、５０．５３．５５…回転係合片、６１…駆動片（テールピース）、６２ａ…環状係合板、６２ｂ…駆動アーム、６３ａ…環状板６、６３ｂ…係合部分。
【手続補正３】
【補正対象書類名】図面
【補正対象項目名】図１７
【補正方法】変更
【補正の内容】
【図１７】
2006233708.tif 000020